(57)【要約】【課題】一枚のフィルターで偏光フィルターの機能とカラー強調フィルターの機能を兼ね備える写真撮影用カメラ等のフィルターを得ること。【解決手段】写真撮影用カメラ等に装着して使用するフィルタに於いて、透明ガラス２と希土類ガラス５間に偏光フィルム４を配置し、該透明ガラス２と希土類含有ガラス５間で前記偏光フィルム４をそれぞれ接着剤３ａ、３ｂを介して貼着し、透明ガラス２、偏光フィルム４、希土類含有ガラス５を三層構造に一体化したフィルター。【選択図】　図１
2004133155.tif 000002
【特許請求の範囲】
【請求項１】
写真撮影用カメラ等に装着して使用するフィルターに於いて、透明ガラスと希土類含有ガラス間に偏光フィルムを配置し、該透明ガラスと希土類含有ガラス間で前記偏光フィルムをそれぞれ接着剤を介して貼着し三層構造に一体化したことを特徴とする写真撮影用カメラ等のフィルター。
【請求項２】
写真撮影用カメラ等に装着して使用するフィルターに於いて、透明ガラスと希土類含有ガラス間に偏光フィルムと１／４位相差板を配置し、該透明ガラスと希土類含有ガラス間で前記偏光フィルムと１／４位相差板をそれぞれ接着剤を介して貼着し四層構造に一体化したことを特徴とする写真撮影用カメラ等のフィルター。
【請求項３】
透明ガラスと希土類含有ガラス間に偏光フイルム或いは偏光フィルムと１／４位相差板を貼着一体化して造られる写真撮影用カメラフィルターに於いて、該希土類含有ガラスはガラス組成材に酸化ネオジム・酸化ブラセオジュウム・酸化セリュムの希土類元素を含有したガラスを用い、該一体化されたカメラフィルターは偏光フィルターと赤色強調ガラスフィルターの性能を兼ね備えていることを特徴とする請求項１及び請求項２記載の写真撮影用カメラ等のフィルター。
【請求項４】
透明ガラスと希土類含有ガラス間に偏光フイルム或いは偏光フィルムと１／４位相差板を貼着一体化して造られる写真撮影用カメラフィルターに於いて、該希土類含有ガラスはガラス組成材に酸化ネオジム・酸化ブラセオジュウム・酸化セリュウムの希土類元素と酸化チタン・酸化銅を含有したガラスを用い、該一体化されたカメラフィルターは偏光フィルターと緑強調ガラスフィルターの性能を兼ね備えていることを特徴とする請求項１及び請求項２記載の写真撮影用カメラ等のフィルター。
【請求項５】
透明ガラスと希土類含有ガラス間に偏光フイルム或いは偏光フィルムと１／４位相差板を一体化して造られる写真撮影用カメラフィルターに於いて、該希土類含有ガラスはガラス組成材料に酸化ネオジム・酸化ブラセオジュウム・酸化セリュウムの希土類元素と酸化銅・酸化コバルトを含有したガラスを用い、該一体化されたカメラフィルターは偏光フィルターと青色強調ガラスフィルターの性能を兼ね備えていることを特徴とする請求項１及び請求項２記載の写真用カメラ等のフィルター。
【請求項６】
透明ガラスと希土類含有ガラス間に偏光フィルム或いは偏光フィルムを貼着一体化して造られる写真撮影用カメラフィルターに於いて、該偏光フイルム或いは偏光フィルムと１／４位相差板を前記透明ガラスと希土類含有ガラスにより挟持一体化することにより該偏光フィルムまたは偏光フィルムと１／４位相差板を保護する構成としたことを特徴とする請求項１乃至請求項４記載の写真撮影用カメラ等のフィルター。
【発明の詳細な説明】
【０００１】
【発明の属する分野】
本発明は、マニュアル式カメラやオートフォーカス式カメラの写真撮影時にカメラのレンズ前に装着され、光を濾過したり、透過させたり、或いは光に変化をあたえる等、光を制御してフィルムに送り込むフィルターに関するものであり、特に、本発明は偏光フィルターの機能と特定の色彩だけを鮮やかに再現するカラー強調用フィルターの機能を兼ね備えたフィルターを提供するものである。
【０００２】
【発明が解決しようとする課題】
従来より偏光フィルターと希土類含有ガラスを用いたカラー強調用フィルターはそれぞれ個別に存在しており、該二つのフィルターの効果を同時に欲しい場合には偏光フィルターとカラー強調用フィルターを二枚重ねて撮影に使用していた。
【０００３】
しかしながら、フィルターの二枚重ねは、フィルターを重ねた分、光の透過率が減少することや、広角レンズに使用した場合フィルター枠が厚くなることで、画面四方にケラレが生じることもあり、あまり一般的な使用方法ではなかった。また撮影現場では、フイルターの二枚重ねは煩雑で時間がかかり、シャッターチャンスを逃すことにもなる。
【０００４】
斯くして、本発明は、選択する一枚のフィルターにて偏光フィルターとカラー強調用フィルターの機能が発揮できるフィルターを提供することを目的とする。
【０００５】
【課題を解決するための手段】
上記の目的を達成するため、本発明は、写真撮影用マニュアル式カメラ等に装着して使用するフィルターに於いて、透明ガラスと希土類含有ガラス間に偏光フィルムを配置し、該透明ガラスと希土類含有ガラス間で前記偏光フィルムをそれぞれ接着剤を介して貼着し三層構造で一体化されたフィルターを造る。
【０００６】
また、写真撮影用オートフォーカス式カメラ等に装着して使用するフィルターに於いては、透明ガラスと希土類含有ガラス間に偏光フィルムと１／４位相差板を配置し、該透明ガラスと希土類含有ガラス間で前記偏光フィルムと１／４位相差板をそれぞれ接着剤を介して貼着し４層構造で一体化されたフィルターを造る。
【０００７】
而して、前記フィルターは内蔵された偏光フイルムの角度を自由に変えることができる回転枠に組み込まれ、該回転枠をカメラレンズの前面に装着し、回転操作することで、マニュアル式カメラやオートフォーカス式カメラの写真撮影がなされ、例えば川や池、海面など明るく反射している水面をはじめ、ショーウインドや建物のガラス等の撮影で表面反射を取り除き、被写体の形、材質感、色彩感を克明に表現できる。
【０００８】
また風景写真を撮る場合、被写体の細部に生じている表面反射を取り除き、該表面の実際の色を非常に鮮明に再現できる等、所謂、偏光フィルターの効果を得られる。
【０００９】
次に、被写体の表面反射を取り除いた光は、希土類含有ガラスからなる色彩強調フィルターを透過して、該特定の色彩だけを鮮やかにフィルム上に再現できる。希土類含有ガラスからなるカラー強調フィルターは、ガラス組成材に添加される希土類元素の種類により、赤色を強調するもの、緑色を強調するもの、青色を強調するものに大別され、該カラー強調フィルターは、一般の色付フィルターでは使ったカラーフィルターのカラー効果が画面全体に現れるのに対して、特定の色彩、即ち、大別された赤色、緑色、青色だけの彩度が上がり、他の色への影響は最小限に抑えられる。
【００１０】
従って、本発明の写真撮影用カメラ等のフィルターに於いては偏光フィルムにて被写体の表面反射を取り除き、被写体の形、材質感、色彩感を克明にさせ、且つカラー強調フィルターにて画面全体の色彩強調を自然な感じで、図ることが可能である。
【００１１】
また、前記偏光フィルムは、ヨードを含んだ染料で染色され、非常に細い平行線状をした有機物のポリビニールアルコールからできており、オートフォーカス式カメラのフィルターでは、前記偏光フィルムの他に直線偏光を円偏光に変換するための特殊膜材の１／４位相差板が貼り合わせてある。
【００１２】
偏光フィルム及び１／４位相差板はその素材及び厚さからして、デリケートなもので、該偏光フィルム及び１／４位相差板は、本発明に於いては、１枚の透明ガラスとカラー強調フィルターとなる希土類含有ガラスに挟み込まれた形で保護され３層構造、または４層構造に接着剤にて一体化されている。
【００１３】
従って本発明にあっては、従来の如く偏光フィルターと希土類含有ガラスからなるカラー強調フィルターを二枚重ねて撮影に使用していた場合に比較し、偏光フィルム等の保護用透明ガラスが省略でき、フィルターによる光の透過率が向上した。
【００１４】
また、フィルターは一枚で偏光フィルターの機能と、カラー強調フィルターの機能を兼ね備えることができ、カメラレンズ前面にとりつけるためのフィルター枠及び回転枠も薄く製作できるので、広角レンズに使用した場合にあっても、画面四方にケラレが生じることもない。
【００１５】
更に、本発明の写真撮影用カメラ等のフィルターは、一枚で偏光フィルターとカラー強調フィルターの機能を兼ね備えており、撮影現場に於いて簡単且つ容易に選択して装着することが可能になった。
【００１６】
【発明の実施の形態及び実施例】
以下、本発明の実施の形態及び実施例を図面に基づき具体的に説明する。
図１は本発明を写真撮影用マニュアル式カメラ等に装着して使用するフィルターとして実施するための構成を示す断面図であり、１はフィルター本体、２は透明ガラス、３ａ、３ｂは接着剤　、４は偏光フィルム、５は希土類含有ガラスを示している。
【００１７】
本実施例のマニュアル式カメラ等に装着して使用するフィルター本体１は、透明ガラス２と希土類含有ガラス５間に偏光フィルム４を配置し、該透明ガラス２と希土類含有ガラス５間で前記偏光フィルム４をそれぞれ接着剤３ａ、３ｂを介して貼着し透明ガラス２、偏光フィルター４、希土類含有ガラス５の三層構造に一体化している。尚、図に於いては、フィルター本体１のカメラ前面側をＡ、外部側をＢとして、透明ガラス２がカメラ被写体と対向するよう構成されている。
【００１８】
斯くして、前記フィルター本体１は内蔵された偏光フィルム４の角度を自由に変えることの出来る回転枠（図示せず）に組み込まれ、該回転枠をカメラ前面側Ａに装着し、回転操作することにより偏光効果のある写真撮影がなされる。
【００１９】
偏光フィルム４は、例えば川や池、海面など明るく反射している水面をはじめ、ショーウインドウや建物のガラス等の撮影で、表面反射を取り除き、被写体の形、材質感、色彩感を克明に表現できる。
【００２０】
また、風景写真を撮る場合、被写体の細部に生じている表面反射を取り除き、該表面の色を非常に鮮明に再現できる等、所謂偏光フィルターの効果が得られる。次に被写体の表面反射を取り除いた光は、希土類含有ガラス５からなるカラー強調フィルターを透過して、該特定の色彩だけを鮮やかにフィルム上に再現できる。
【００２１】
希土類含有ガラス５からなるカラー強調フィルターはガラス組成材に添加される希土類元素の種類により、赤色を強調するもの、緑色を強調するもの、青色を強調するものに大別される。
【００２２】
赤色強調フィルターは、ガラス組成材に酸化ネオジム、酸化ブラセオジュウム、酸化セリュムの希土類元素を含有したガラスを用いている。
【００２３】
緑色強調フィルターは、ガラス組成材に酸化ネオジム、酸化ブラセオジュウム、酸化セリュムの希土類元素と酸化チタン、酸化銅を含有したガラスを用いている。
【００２４】
また、青色強調フィルターは、ガラス組成材に酸化ネオジム、酸化ブラセオジュウム、酸化セリュムの希土類元素と酸化銅、酸化コバルトを含有したガラスを用いている。
【００２５】
従って、上記カラー強調フィルターは、一般の色付フィルターでは、使ったカラーフィルターのカラー効果が画面全体に現れるのに対して、特定の色彩、即ち、大別された赤色、緑色、青色だけの彩度を上げる効果のみを有し、他の色への影響は最小限におさえられるので、偏光フィルム４との組み合わせが最適な効果を上げることが可能で、本発明の写真撮影用カメラ等のフィルターに於いては偏光フィルムにて、被写体の表面反射を取り除き、被写体の形、材質感、色彩感を克明にさせ、且つ、カラー強調フィルターにて、画面全体の色彩強調を自然な感じにて図ることが可能となった。
【００２６】
前記偏光フィルム４は、ヨードを含んだ染料で染色されている非常に細い平行線状をした有機物のポリビニールアルコールからできておりデリケートなもので、該偏光フィルム４は一枚の透明ガラス２とカラー強調フィルターとなる希土類含有ガラス５に挟み込まれた形で保護され三層構造に接着剤３ａ、３ｂにて一体化されている。
【００２７】
従って、本発明に於いては従来の如く、偏光フィルター、カラー強調フィルターを二枚重ねて撮影に使用していた場合に比較し、偏光フィルム４の保護用透明ガラスが省略でき、フィルターによる光の透過率が向上した。
【００２８】
また、本発明のフィルター本体１は一枚で偏光フィルターの機能と、カラー強調フィルターの機能を兼ね備えており、カメラレンズ前面に取付るためのフィルター枠及び回転枠も薄く製作できるので、広角レンズに使用した場合あっても、画面四方にケラレが生じることもない。
【００２９】
更に本発明の写真撮影用カメラ等のフィルターは一枚で偏光フィルターとカラー強調フィルターの機能を兼ね備えており、撮影現場に於いて簡単、且つ、容易に選択して装着することが可能となった。
【００３０】
【実施例２】
図２は、本発明の写真撮影用カメラのフィルターをオートフォーカス式カメラに装着して使用する実施例を説明する断面図であり、図１と同一符号は同一構成要素を示している。
【００３１】
図２に於いて、１はフィルター本体、２は透明ガラス、３ａ、３ｂ、３ｃは接着剤、４は偏光フィルム、５は希土類含有ガラス、６は接着剤３ｃと希土類含有ガラス５間に挟み込まれた１／４位相差板である。
【００３２】
１／４位相差板６は特殊な膜素材からなりオートフォーカス式カメラのオートフォーカスセンサーや測光光学系の光路上には偏光フィルム４と同じ性質を持つハーフミラーが使われており、直線偏光をそのまま使用すると暗転現象を起こしてしまい、正確な測光ができないので、前記偏光フィルム４に１／４位相差板６を張り合わせて、円偏光フィルターを構成している。
【００３３】
本実施例のオートフォーカス式カメラ等に装着して使用するフィルター本体１は、透明ガラス２と希土類含有ガラス５間に偏光フィルム４と１／４位相差板６を配置し、該透明ガラス４と希土類含有ガラス５間で前記偏光フィルム４と１／４位相差板６をそれぞれ接着剤３ａ、３ｂ、３ｃを介して貼着し透明ガラス２，偏光フィルム４、１／４位相差板６、希土類含有ガラス５の四層構造に一体化している。
【００３４】
斯くして、本実施例は、オートフォーカス式カメラ等に装着して使用するフィルターとして、円偏光フィルターとカラー強調フィルターの機能を兼ね備えており、図１の実施例にて詳説した実施様態と同様であり、下記の効果を有する。
【００３５】
【発明の効果】
本発明は従来の如く偏光フィルターとカラー強調フィルターを二枚重ねて撮影に使用していた場合に比較し、偏光フィルム等の保護用透明ガラスが一枚省略でき、フィルターに於ける光の透過率が向上した。
【００３６】
また、本発明のフィルターは一枚で偏光フィルターの機能と、カラー強調フィルターの機能を兼ね備えることができ、カメラレンズ前面に取付るためのフィルター枠、回転枠も薄く製作できるので、広角レンズに使用した場合にあっても、画面四方にケラレが生じることもない。
【００３７】
更に、本発明の写真撮影用カメラ等のフィルターは、一枚で偏光フィルターとカラー強調フィルター機能を兼ね備えたおり、撮影現場に於いて、簡単、且つ容易に選択してカメラに装着することが可能になった。
【図面の簡単な説明】
【図　１】本発明の一実施例を説明する略断面図である。
【図　２】本発明の他の実施例を示す略断面図である。
【符号の説明】
１　フィルター本体
２　透明ガラス
３ａ、３ｂ、３ｃ　接着剤
４　偏光フィルム
５　希土類含有ガラス
６　１／４位相差板
Ａ　カメラ全面側
Ｂ　カメラ外部側
【図１】
2004133155.tif 000003
【図２】
2004133155.tif 000004